(57)【要約】【課題】特に上方からの撮影に適した可搬型撮影台を提供すること。【解決手段】本発明の可搬型撮影台は、被写体Ａを載置する底板２０と、底板２０に載置される被写体Ａの側方に位置する一対の側板１０Ａ、１０Ｂとを備えた可搬型撮影台であって、底板２０に載置される被写体Ａの後方にロール紙保持バー５０が配置され、底板２０に載置される被写体Ａの上方に撮影機固定バー６０が配置され、底板２０の角度を変更できることを特徴とする。【選択図】図１
2019012197.tif 000002
【特許請求の範囲】
【請求項１】
被写体を載置する底板と、
前記底板に載置される前記被写体の側方に位置する一対の側板と
を備えた可搬型撮影台であって、
前記底板に載置される前記被写体の後方にロール紙保持バーが配置され、
前記底板に載置される前記被写体の上方に撮影機固定バーが配置され、
前記底板の角度を変更できる
ことを特徴とする可搬型撮影台。
【請求項２】
前記撮影機固定バーを、一対の前記側板の上端より上方に配置する
ことを特徴とする請求項１に記載の可搬型撮影台。
【請求項３】
前記ロール紙保持バーの高さを変更できる
ことを特徴とする請求項１又は請求項２に記載の可搬型撮影台。
【請求項４】
複数の前記ロール紙保持バーを配置できる
ことを特徴とする請求項１から請求項３のいずれか１項に記載の可搬型撮影台。
【請求項５】
前記底板の一端、及び一対の前記側板の下端を、基台フレームに開閉自在に設け、
前記基台フレームの一方側部にはキャスターを設け、
前記基台フレームの他方側部には足先挿入用開口を形成した
ことを特徴とする請求項１から請求項４のいずれか１項に記載の可搬型撮影台。
【請求項６】
前記基台フレームには、前記ロール紙保持バー及び前記撮影機固定バーを収納する収納庫を備え、
前記収納庫を前記基台フレームの対角線方向に配置した
ことを特徴とする請求項５に記載の可搬型撮影台。
【請求項７】
前記底板に載置される前記被写体の上方に配置するラインレーザーを備えた
ことを特徴とする請求項１から請求項６のいずれか１項に記載の可搬型撮影台。
【請求項８】
前記底板に載置される配置用定規を備え、
前記配置用定規は、所定間隔で色分けされている
ことを特徴とする請求項１から請求項７のいずれか１項に記載の可搬型撮影台。
【請求項９】
前記側板の内面に照明具を備えた
ことを特徴とする請求項１から請求項８のいずれか１項に記載の可搬型撮影台。
【請求項１０】
前記底板に載置される前記被写体の上方に配置する遮光バーを備え、
前記ロール紙保持バーに保持されるロール紙を前記遮光バーまで引き出し、前記ロール紙保持バーから前記遮光バーまでを前記ロール紙で遮光する
ことを特徴とする請求項１から請求項９のいずれか１項に記載の可搬型撮影台。
【請求項１１】
前記ロール紙保持バーに保持されるロール紙を挟み込むカット用定規を備え、
前記カット用定規は、２枚の板材で構成され、
一方の前記板材にスリットを形成した
ことを特徴とする請求項１から請求項９のいずれか１項に記載の可搬型撮影台。
【発明の詳細な説明】
【技術分野】
【０００１】
本発明は、被写体を載置して撮影ができる可搬型撮影台に関する。
【背景技術】
【０００２】
作物栽培における試験研究においては、様々な調査が行われ、そのほとんどにおいて植物体の撮影も行われる。
より自然でムラのない光源を求めて、屋外での撮影が多く行われている。コンクリート面の場合、そのままグレーの背景として、また白色や黒色のシート等を敷いて背景として撮影を行っている。
しかし、屋外での撮影は、天候に左右されやすく、また夕刻の撮影では影が多く映り込むため、時間的制約を考慮しながら調査を行っている。
屋内では十分な光量を得にくいため、補助照明を確保するなどして床面や光量が多く届くテーブル上等で撮影を行っている。
しかし、屋内では、特に夜間では十分な光量を得ることができない。また、テーブル等には、白または黒色の天板が貼り付けてあるため、天板を背景として利用できるが、テーブルの傷や汚れ、また光沢による天井照明の映り込みなどを考慮し、対策を行わなくてはならない。また、テーブル上に登って撮影するため、テーブル上への昇り降りには危険を伴う。
屋内、屋外問わず、撮影は被写体に正対して行うことを理想とする。しかし通常の撮影では、撮影者の足先や人影が映り込んでしまうため、高い踏み台等の上から前傾姿勢を維持し、撮影を行っている。
しかし、前傾での無理な姿勢や、その都度の踏み台への昇り降りは労力を要する。
サンプル毎に、配置・アングル等の調整・撮影の手順を繰り返すことがあるが、撮影（立ち）位置が変わり、再度のアングル等の調整によって、撮影フレーム内におけるサイズ等が変わってしまう。
現地試験におけるサンプル撮影は、収穫後に拠点へ搬送して調査室等にて撮影を行っているが、ホウレンソウ等の鮮度が落ちやすい茎葉は、移送に時間がかかってしまうため、拠点での調査・撮影時には萎れた被写体となってしまう。
ところで、特許文献１は、折りたたみ可能で、背景幕をロールによって巻き取ることができるミニチュア写真スタジオを提案している。
また、特許文献２は、折り畳み可能で、被写体に照光可能な蛍光灯を備えた映写用簡易スタジオを提案している。
また、特許文献３は、背景を容易に変更できるように、背景布用の複数のロールを設けたロールスタンド型写真背景台を提案している。
【先行技術文献】
【特許文献】
【０００３】
【特許文献１】特許第３８４４３４６号公報
【特許文献２】特開平１１−１０９４６０号公報
【特許文献３】特開２００１−３１８４１１号公報
【発明の概要】
【発明が解決しようとする課題】
【０００４】
しかし、特許文献１から特許文献３は、いずれも前方から、すなわち水平方向から撮影するものであり、例えば試験作物のように立てて撮影できない被写体を撮影することができない。
試験作物のように立てて撮影できない被写体では、上方から撮影することが多く、上方から撮影する場合には、撮影機と被写体とを正対させることが重要である。
【０００５】
そこで本発明は、特に上方からの撮影に適した可搬型撮影台を提供することを目的とする。
【課題を解決するための手段】
【０００６】
請求項１記載の本発明の可搬型撮影台は、被写体を載置する底板と、前記底板に載置される前記被写体の側方に位置する一対の側板とを備えた可搬型撮影台であって、前記底板に載置される前記被写体の後方にロール紙保持バーが配置され、前記底板に載置される前記被写体の上方に撮影機固定バーが配置され、前記底板の角度を変更できることを特徴とする。
請求項２記載の本発明は、請求項１に記載の可搬型撮影台において、前記撮影機固定バーを、一対の前記側板の上端より上方に配置することを特徴とする。
請求項３記載の本発明は、請求項１又は請求項２に記載の可搬型撮影台において、前記ロール紙保持バーの高さを変更できることを特徴とする。
請求項４記載の本発明は、請求項１から請求項３のいずれか１項に記載の可搬型撮影台において、複数の前記ロール紙保持バーを配置できることを特徴とする。
請求項５記載の本発明は、請求項１から請求項４のいずれか１項に記載の可搬型撮影台において、前記底板の一端、及び一対の前記側板の下端を、基台フレームに開閉自在に設け、前記基台フレームの一方側部にはキャスターを設け、前記基台フレームの他方側部には足先挿入用開口を形成したことを特徴とする。
請求項６記載の本発明は、請求項５に記載の可搬型撮影台において、前記基台フレームには、前記ロール紙保持バー及び前記撮影機固定バーを収納する収納庫を備え、前記収納庫を前記基台フレームの対角線方向に配置したことを特徴とする。
請求項７記載の本発明は、請求項１から請求項６のいずれか１項に記載の可搬型撮影台において、前記底板に載置される前記被写体の上方に配置するラインレーザーを備えたことを特徴とする。
請求項８記載の本発明は、請求項１から請求項７のいずれか１項に記載の可搬型撮影台において、前記底板に載置される配置用定規を備え、前記配置用定規は、所定間隔で色分けされていることを特徴とする。
請求項９記載の本発明は、請求項１から請求項８のいずれか１項に記載の可搬型撮影台において、前記側板の内面に照明具を備えたことを特徴とする。
請求項１０記載の本発明は、請求項１から請求項９のいずれか１項に記載の可搬型撮影台において、前記底板に載置される前記被写体の上方に配置する遮光バーを備え、前記ロール紙保持バーに保持されるロール紙を前記遮光バーまで引き出し、前記ロール紙保持バーから前記遮光バーまでを前記ロール紙で遮光することを特徴とする。
請求項１１記載の本発明は、請求項１から請求項９のいずれか１項に記載の可搬型撮影台において、前記ロール紙保持バーに保持されるロール紙を挟み込むカット用定規を備え、前記カット用定規は、２枚の板材で構成され、一方の前記板材にスリットを形成したことを特徴とする。
【発明の効果】
【０００７】
本発明によれば、被写体の後方に配置されるロール紙保持バーに保持されるロール紙を底板まで引き出し、底板にロール紙を敷いて被写体を載置して上方から撮影でき、被写体に応じて底板の角度を変更できるので、撮影機と被写体とを正対させて撮影できる。
【図面の簡単な説明】
【０００８】
【図１】本発明の一実施例による可搬型撮影台の収納時を示す外観写真
【図２】同可搬型撮影台の組立方法を示す外観写真
【図３】同可搬型撮影台の組立方法を示す外観写真
【図４】同可搬型撮影台の底板の角度変更を示す外観写真
【図５】同可搬型撮影台の使用状態を示す外観写真
【図６】同可搬型撮影台の他の使用状態を示す外観写真
【図７】同可搬型撮影台の更に他の使用状態を示す外観写真
【図８】同可搬型撮影台の更に他の使用状態を示す外観写真
【図９】同可搬型撮影台として備えるカット用定規を示す写真
【発明を実施するための形態】
【０００９】
本発明の第１の実施の形態による可搬型撮影台は、底板に載置される被写体の後方にロール紙保持バーが配置され、底板に載置される被写体の上方に撮影機固定バーが配置され、底板の角度を変更できるものである。本実施の形態によれば、被写体の後方に配置されるロール紙保持バーに保持されるロール紙を底板まで引き出し、底板にロール紙を敷いて被写体を載置して上方から撮影でき、被写体に応じて底板の角度を変更できるので、撮影機と被写体とを正対させて撮影できる。
【００１０】
本発明の第２の実施の形態は、第１の実施の形態による可搬型撮影台において、撮影機固定バーを、一対の側板の上端より上方に配置するものである。本実施の形態によれば、被写体と撮影機との距離を確保でき、側板の高さを低くして可搬型撮影台をコンパクトにできる。
【００１１】
本発明の第３の実施の形態は、第１又は第２の実施の形態による可搬型撮影台において、ロール紙保持バーの高さを変更できるものである。本実施の形態によれば、周囲環境や被写体に応じて被写体の後方にロール紙を配置できる。従って、例えば茎葉の撮影ではロール紙保持バーを低くしてロール紙を底板だけに敷き、立姿形の鉢物ではロール紙保持バーを高くして底板から被写体背面までをロール紙によって同一色の背景色とすることができる。
【００１２】
本発明の第４の実施の形態は、第１から第３のいずれかの実施の形態による可搬型撮影台において、複数のロール紙保持バーを配置できるものである。本実施の形態によれば、異なる色のロール紙を組み合わせて背景色とすることができる。従って、例えば茎葉の背景には白色のロール紙を配置し、根の背景には黒色のロール紙を配置することができる。
【００１３】
本発明の第５の実施の形態は、第１から第４のいずれかの実施の形態による可搬型撮影台において、底板の一端、及び一対の側板の下端を、基台フレームに開閉自在に設け、
基台フレームの一方側部にはキャスターを設け、基台フレームの他方側部には足先挿入用開口を形成したものである。本実施の形態によれば、基台フレームに対して底板及び側板を折り畳むことができ、キャスターによって可搬し易く、足先挿入用開口によって撮影時の足先の映り込みを防止できる。
【００１４】
本発明の第６の実施の形態は、第５の実施の形態による可搬型撮影台において、基台フレームには、ロール紙保持バー及び撮影機固定バーを収納する収納庫を備え、収納庫を基台フレームの対角線方向に配置したものである。本実施の形態によれば、収納庫を基台フレームの対角線方向に配置しているので、基台フレームの幅と同寸のロール紙保持バー及び撮影機固定バーを収納できるとともに、基台フレームの強度を高めることができる。
【００１５】
本発明の第７の実施の形態は、第１から第６のいずれかの実施の形態による可搬型撮影台において、底板に載置される被写体の上方に配置するラインレーザーを備えたものである。本実施の形態によれば、ラインレーザーによって同時撮影する複数の被写体を整列して並べやすく、複数回に分けた撮影の場合にも被写体を同一位置に配置できる。
【００１６】
本発明の第８の実施の形態は、第１から第７のいずれかの実施の形態による可搬型撮影台において、底板に載置される配置用定規を備え、配置用定規は、所定間隔で色分けされているものである。本実施の形態によれば、所定間隔で色分けされた配置用定規によって同時撮影する複数の被写体を整列して並べやすく、複数回に分けた撮影の場合にも被写体を同一位置に配置できる。
【００１７】
本発明の第９の実施の形態は、第１から第８のいずれかの実施の形態による可搬型撮影台において、側板の内面に照明具を備えたものである。本実施の形態によれば、屋内でも十分な光量を得ることができ、色鮮やかに撮影を行える。
【００１８】
本発明の第１０の実施の形態は、第１から第９のいずれかの実施の形態による可搬型撮影台において、底板に載置される被写体の上方に配置する遮光バーを備え、ロール紙保持バーに保持されるロール紙を遮光バーまで引き出し、ロール紙保持バーから遮光バーまでをロール紙で遮光するものである。本実施の形態によれば、周囲環境に応じて遮光を行え、例えば屋外での光量過多や屋内での天井照明の映り込みを防止できる。
【００１９】
本発明の第１１の実施の形態は、第１から第９のいずれかの実施の形態による可搬型撮影台において、ロール紙保持バーに保持されるロール紙を挟み込むカット用定規を備え、カット用定規は、２枚の板材で構成され、一方の板材にスリットを形成したものである。本実施の形態によれば、カット用定規にロール紙を挟み込んで、スリットに沿ってロール紙を切り取ることができ、ロール紙を簡便で綺麗に裁断できる。
【実施例】
【００２０】
以下本発明の一実施例による可搬型撮影台について説明する。
図１は本実施例による可搬型撮影台の収納時を示す外観写真である。
本実施例による可搬型撮影台は、基台フレーム１０と、被写体を載置する底板２０と、一対の側板３０Ａ、３０Ｂとを有する。
基台フレーム１０の一方側部１０Ｌには、４つのキャスター１１を設けている。
基台フレーム１０は、一方側部１０Ｌに隣接する一対の基台側板１０Ａ、１０Ｂと、一方側部１０Ｌに対向する他方側部１０Ｈとを備えている。
側板３０Ａの一端は基台側板１０Ａに蝶番１２Ａで開閉自在に、側板３０Ｂの一端は基台側板１０Ｂに蝶番１２Ｂで開閉自在に設けている。
基台側板１０Ａには持ち手１３Ａを、基台側板１０Ｂには持ち手１３Bを、他方側部１０Ｈには持ち手１３Ｈを、それぞれ設けている。
基台フレーム１０には、収納庫４１を備えており、収納庫４１は基台フレーム１０の対角線方向に配置している。また、基台フレーム１０には、第２収納庫４２を備えている。
本実施例による可搬型撮影台は、基台フレーム１０に対して底板２０及び側板３０Ａ、３０Ｂを折り畳むことができ、収納時には図１に示すように立姿形で、キャスター１１を設けているため、調査室等の狭いスペースへの移動・収納が可能であり、また、倒伏させた状態で搬送が可能である。
【００２１】
図２及び図３は本実施例による可搬型撮影台の組立方法を示す外観写真である。
図２（ａ）及び図２（ｂ）は、可搬型撮影台を倒伏させた状態（収納状態）を示している。
図２（ａ）及び図２（ｂ）に示すように、収納状態では、側板３０Ｂは基台フレーム１０の一つの面を覆い、側板３０Ａは側板３０Ｂの一部を覆っている。すなわち、側板３０Ａと側板３０Ｂとは同一幅寸法で、側板３０Ａは側板３０Ｂより組立時の高さ寸法が小さい。一方、基台側板１０Ａは基台側板１０Ｂより組立時の高さ寸法が大きく、側板３０Ａと基台側板１０Ａとの組立時の高さ寸法が、側板３０Ｂと基台側板１０Ｂとの組立時の高さ寸法と同一となる。
まず、図２（ｃ）に示すように側板３０Ａを開き、その後に図２（ｄ）に示すように側板３０Ｂを開く。側板３０Ａは、自立棒３１によって開状態を保持される。自立棒３１は、根元３１ａを回動支点とし、先端３１ｂに設けた留め具３１ｃで側板３０Ａに固定する。側板３０Ｂについても同様である。
一対の側板３０Ａ、３０Ｂを開いて自立させた後に、図２（ｅ）に示すように底板２０を開く。底板２０の一端は他方側部１０Ｈに蝶番１２Ｈで開閉自在に設けている。
底板２０には、スライドピン２１を備えている。スライドピン２１を、側板３０Ａ、３０Ｂに形成した位置決め孔３２に挿入することで、底板２０の動きを規制する。
底板２０を開くことで、図２（ｆ）に示すように、収納庫４１からロール紙保持バー５０、撮影機固定バー６０、配置用定規７０（図６参照）、遮光バー８０、カット用定規９０を取り出すことができる。
収納庫４１は、基台フレーム１０の対角線方向に配置しているので、基台フレーム１０の幅と同寸のロール紙保持バー５０、撮影機固定バー６０、配置用定規７０、遮光バー８０、カット用定規９０を収納できるとともに、基台フレーム１０の強度を高めることができる。
【００２２】
図３（ａ）は第２収納庫４２の蓋を取り外した状態を示している。第２収納庫４２には、例えばラインレーザー１００を収納している。
図３（ｂ）から図３（ｄ）に示すように、撮影機固定バー６０及び遮光バー８０は、一対の側板３０Ａ、３０Ｂの上端に取り付けられる。
また、ラインレーザー１００を取り付けるラインレーザー固定バー１０１についても、撮影機固定バー６０及び遮光バー８０と同様に、側板３０Ａと側板３０Ｂとに跨って取り付けられる。
一対の側板３０Ａ、３０Ｂの後方端には、高さ方向に複数の溝３３が形成されている。ロール紙保持バー５０は、溝３３によって保持される。溝３３の高さによって、ロール紙保持バー５０の高さを変更できる。
【００２３】
図３（ｅ）及び図３（ｆ）は、撮影機固定バー６０を示している。
図３（ｅ）は撮影機固定バー６０の収納状態を、図３（ｆ）は撮影機固定バー６０の設置状態を示している。
撮影機固定バー６０は、固定バー本体６１と、固定バー本体６１の両端に回動自在に設けた脚部６２と、脚部６２の端部に設けた側板取付部６３とからなる。
【００２４】
図４は本実施例による可搬型撮影台の底板の角度変更を示す外観写真である。
図４（ａ）は底板２０を水平状態、図４（ｂ）は底板２０を水平から所定角度傾けた状態を示している。
一対の側板３０Ａ、３０Ｂには、それぞれ複数の角度調整孔３４を形成している。
図４（ｃ）から図４（ｅ）に示すように、底板２０にはスライドピン２１を備えている。スライドピン２１を側板３０Ａ、３０Ｂに形成した角度調整孔３４に挿入することで、底板２０の動きを規制する。従って、高さ方向に異なる位置に形成した角度調整孔３４を利用することで、底板２０の角度を変更することができる。
なお、図４（ａ）及び図４（ｂ）に示すように、基台フレーム１０の他方側部１０Ｈには足先挿入用開口１４を形成している。
【００２５】
図５は本実施例による可搬型撮影台の使用状態を示す外観写真である。
本実施例による可搬型撮影台は、被写体Ａが底板２０に載置され、一対の側板３０Ａ、３０Ｂが被写体Ａの側方に位置し、被写体Ａの後方にロール紙保持バー５０が配置され、
被写体Ａの上方に撮影機固定バー６０が配置される。
一対の側板３０Ａ、３０Ｂの内面上部には照明具１２０を備えている。照明具１２０を備えることで、屋内でも十分な光量を得ることができ、色鮮やかに撮影を行える。照明具１２０には、白色で光量調整が可能なＬＥＤライトが適している。
【００２６】
ロール紙保持バー５０にはロール紙１１１が保持される。ロール紙１１１は、底板２０まで引き出し、底板２０にロール紙１１１を敷いて被写体Ａを載置する。
被写体Ａに応じて底板２０の角度を変更できるので、撮影機６４と被写体Ａとを正対させて撮影できる。
撮影機６４を固定する撮影機固定バー６０は、一対の側板３０Ａ、３０Ｂの上端より上方に配置しているため、被写体Ａと撮影機６４との距離を確保でき、側板３０Ａ、３０Ｂの高さを低くして可搬型撮影台をコンパクトにできる。
【００２７】
図５（ａ）に示すように、被写体Ａが葉である場合には、底板２０を水平方向とし、ロール紙保持バー５０を低くしてロール紙１１１を底板２０だけに敷いて撮影を行う。
ラインレーザー１００は、被写体Ａの上方に配置する。ラインレーザー１００は、Ｘ軸方向とＹ軸方向を示すクロスラインレーザーが好ましい。ラインレーザー１００としてクロスラインレーザーを用いた場合には、図５（ｃ）に示すように、底板２０に敷いたロール紙１１１にレーザーによるクロスラインを示すことができる。
ラインレーザー１００を用いることで、同時撮影する複数の被写体Ａを整列して並べやすく、複数回に分けた撮影の場合にも被写体Ａを同一位置に配置できる。
また、所定間隔で色分けされている配置用定規７０を、底板２０の周囲に載置することで、同時撮影する複数の被写体Ａを整列して並べやすく、複数回に分けた撮影の場合にも被写体Ａを同一位置に配置できる。
【００２８】
図５（ｄ）は、ロール紙保持バー５０を示している。
ロール紙保持バー５０は、両端に抜け止め５１を備えるとともに、ロール紙１１１の幅より若干広い間隔で一対の位置決め部５２を備えている。
位置決め部５２は、外方（抜け止め５１側）を大径、内方を小径とした円錐台形状をしている。ロール紙１１１は、位置決め部５２によってロール紙保持バー５０の中央部に常に位置する。
【００２９】
図６は本実施例による可搬型撮影台の他の使用状態を示す外観写真である。
図６に示すように、被写体Ｂが立姿形の鉢物である場合には、底板２０を水平方向とし、ロール紙保持バー５０を高くし、底板２０から被写体Ｂ背面までをロール紙１１１によって同一色の背景色として撮影を行う。このように、周囲環境や被写体Ｂに応じて被写体Ｂの後方にロール紙１１１を配置できる。
【００３０】
図６（ａ）に示すように、配置用定規７０は、それぞれ所定間隔で色分けされている第１部材７１と第２部材７２とからなり、第１部材７１と第２部材７２とは、端部で回動自在に接続されている。第１部材７１と第２部材７２とを直交する方向に展開し、底板２０の周囲に載置して用いる。
このような配置用定規７０を用いることで、複数回に分けた撮影の場合にも被写体Ｂを同一位置に配置できる。
【００３１】
図７は本実施例による可搬型撮影台の更に他の使用状態を示す外観写真である。
図７（ａ）に示すように、基台フレーム１０の他方側部１０Ｈに形成している足先挿入用開口１４によって撮影時の足先の映り込みを防止できる。
また図７（ｂ）に示すように、配置用定規７０を用いることで、同時撮影する複数の被写体Ｃを整列して並べやすい。
【００３２】
図８は本実施例による可搬型撮影台の更に他の使用状態を示す外観写真である。
図８（ａ）は、ロール紙保持バー５０に保持されるロール紙１１２を遮光バー８０まで引き出し、ロール紙保持バー５０から遮光バー８０までをロール紙１１２で遮光している。このように底板２０の上方に遮光バー８０を設けてロール紙１１２で遮光することで、周囲環境に応じて遮光を行え、例えば屋外での光量過多や屋内での天井照明の映り込みを防止できる。なお、遮光用のロール紙１１２には黒色ロール紙が適している。
【００３３】
図８（ｂ）は、複数のロール紙１１１、１１２を用いた場合を示している。例えば黒色のロール紙１１２を保持するロール紙保持バー５０よりも白色のロール紙１１１を保持するロール紙保持バー５０を高い位置に配置し、黒色のロール紙１１２を底板２０の手前まで引き出し、黒色のロール紙１１２の一部が露出するように、白色のロール紙１１１を引き出すことで、図８（ｂ）の状態とすることができる。
このように、複数のロール紙保持バー５０を配置することで、異なる色のロール紙１１１、１１２を組み合わせて背景色とすることができ、例えば被写体Ｄとしての茎葉の背景には白色のロール紙１１１を配置し、被写体Ｅとしての根の背景には黒色のロール紙１１２を配置することができる。
【００３４】
図９は本実施例による可搬型撮影台として備えるカット用定規を示す写真である。
図９（ａ）は同カット用定規の外観を示す写真、図９（ｂ）及び図９（ｃ）は同カット用定規の機能を示す写真、図９（ｄ）は同カット用定規の使用状態を示す写真である。
カット用定規９０は、２枚の板材９０Ａ、９０Ｂで構成され、一方の板材９０Ａにスリット９１を形成している。カット用定規９０は、２枚の板材９０Ａ、９０Ｂでロール紙１１１を挟み込み、スリット９１に沿ってカッター９５を動かしてロール紙１１１を切り取る。このようなカット用定規９０を用いることで、ロール紙１１１を簡便で綺麗に裁断できる。
【産業上の利用可能性】
【００３５】
本実施例による可搬型撮影台は、特に栽培作物の撮影に適している。
【符号の説明】
【００３６】
１０  基台フレーム
１０Ａ、１０Ｂ  基台側板
１０Ｈ  他方側部
１０Ｌ  一方側部
１１  キャスター
１２Ａ  蝶番
１２Ｂ  蝶番
１２Ｈ  蝶番
１３Ａ  持ち手
１３Ｂ  持ち手
１３Ｈ  持ち手
１４  足先挿入用開口
２０  底板
２１  スライドピン
３０Ａ、３０Ｂ  側板
３１  自立棒
３１ａ  根元
３１ｂ  先端
３１ｃ  留め具
３２  位置決め孔
３３  溝
３４  角度調整孔
４１  収納庫
４２  第２収納庫
５０  ロール紙保持バー
５１  抜け止め
５２  位置決め部
６０  撮影機固定バー
６１  固定バー本体
６２  脚部
６３  側板取付部
６４  撮影機
７０  配置用定規
７１  第１部材
７２  第２部材
８０  遮光バー
９０  カット用定規
９０Ａ、９０Ｂ  板材
９１  スリット
９５  カッター
１００  ラインレーザー
１０１  ラインレーザー固定バー
１１１  ロール紙
１１２  ロール紙
１２０  照明具
Ａ  被写体
Ｂ  被写体
Ｃ  被写体
Ｄ  被写体（茎葉）
Ｅ  被写体（根）
【図１】
2019012197.tif 000003
【図２】
2019012197.tif 000004
【図３】
2019012197.tif 000005
【図４】
2019012197.tif 000006
【図５】
2019012197.tif 000007
【図６】
2019012197.tif 000008
【図７】
2019012197.tif 000009
【図８】
2019012197.tif 000010
【図９】
2019012197.tif 000011